(57)【要約】【課題】操作者が出発地から目的地まで快適に移動することができるようにする。【解決手段】経路探索区間を探索条件として設定する探索条件設定処理手段９１と、設定された探索条件に基づいて経路を探索する経路探索処理手段９２と、探索経路に少なくとも一つ以上の指定席路線が含まれるかどうかを判断する指定席路線判定処理手段９３と、前記探索経路に少なくとも一つ以上の指定席路線が含まれる場合に、指定席路線が含まれる探索経路を操作者に通知する通知処理手段９４とを有する。探索経路に少なくとも一つ以上の指定席路線が含まれる場合に、指定席路線が含まれる探索経路が操作者に通知されるので、探索経路上において公共の交通機関を利用するに当たり、座席を確保することが可能になるので、出発地から目的地まで快適に移動することができる。【選択図】          図１
2004206482.tif 000002
【特許請求の範囲】
【請求項１】
経路探索区間を探索条件として設定する探索条件設定処理手段と、設定された探索条件に基づいて経路を探索する経路探索処理手段と、探索経路に少なくとも一つ以上の指定席路線が含まれるかどうかを判断する指定席路線判定処理手段と、前記探索経路に少なくとも一つ以上の指定席路線が含まれる場合に、指定席路線が含まれる探索経路を操作者に通知する通知処理手段とを有することを特徴とするナビゲーションシステム。
【請求項２】
前記経路探索処理手段は、複数の探索経路を候補経路として出力する請求項１に記載のナビゲーションシステム。
【請求項３】
一つ以上の指定席路線が含まれる候補経路を所定の絞込条件で絞り込む絞込処理手段を有する請求項１に記載のナビゲーションシステム。
【請求項４】
絞り込まれた候補経路を所定の並替条件に基づいて並び替える請求項１に記載のナビゲーションシステム。
【請求項５】
端末装置から送信された探索条件に基づいて経路を探索する経路探索処理手段と、探索経路に少なくとも一つ以上の指定席路線が含まれるかどうかを判断する指定席路線判定処理手段と、前記探索経路に少なくとも一つ以上の指定席路線が含まれる場合に、指定席路線が含まれる探索経路を表す経路案内データを端末装置に送信する送信処理手段とを有することを特徴とするナビゲーションシステム。
【請求項６】
コンピュータを、経路探索区間を探索条件として設定する探索条件設定処理手段、設定された探索条件に基づいて経路を探索する経路探索処理手段、探索経路に少なくとも一つ以上の指定席路線が含まれるかどうかを判断する指定席路線判定処理手段、及び前記探索経路に少なくとも一つ以上の指定席路線が含まれる場合に、指定席路線が含まれる探索経路を操作者に通知する通知処理手段として機能させることを特徴とする経路探索方法のプログラム。
【発明の詳細な説明】
【０００１】
【発明の属する技術分野】
本発明は、ナビゲーションシステム及び経路探索方法のプログラムに関するものである。
【０００２】
【従来の技術】
従来、コンピュータを使用し、出発地の最寄りの駅から目的地の最寄りの駅までを最短時間で結ぶ経路を探索したり、出発地の最寄りの駅から目的地の最寄りの駅までを最低運賃で移動することができる経路を探索したりすることができ、更に探索された経路、すなわち、探索経路を画面に表示することができるようにした検索システムが提供されている（例えば、特許文献１参照。）。
【０００３】
該検索システムにおいて、制御部は、入力部に入力された入力情報に基づいて、駅情報テーブル、路線情報テーブル、列車間移動時間情報テーブル、時刻表情報テーブル等に記録された各種のデータに基づいて、出発地の最寄りの駅から目的地の最寄りの駅までを最短時間で結ぶ経路を探索したり、出発地の最寄りの駅から目的地の最寄りの駅までを最低運賃で移動することができる経路を探索したりするようになっている。
【０００４】
【特許文献１】
特開２００１−３４６６３号公報
【０００５】
【発明が解決しようとする課題】
しかしながら、前記従来の検索システムにおいて、操作者は、探索経路を最短時間で、又は最低運賃で移動することができるが、探索経路上において公共の交通機関を利用するに当たり、座席を確保することができない場合には、出発地から目的地まで、必ずしも快適に移動することができない。
【０００６】
本発明は、前記従来の検索システムの問題点を解決して、操作者が出発地から目的地まで快適に移動することができるナビゲーションシステム及び経路探索方法のプログラムを提供することを目的とする。
【０００７】
【課題を解決するための手段】
そのために、本発明のナビゲーションシステムにおいては、経路探索区間を探索条件として設定する探索条件設定処理手段と、設定された探索条件に基づいて経路を探索する経路探索処理手段と、探索経路に少なくとも一つ以上の指定席路線が含まれるかどうかを判断する指定席路線判定処理手段と、前記探索経路に少なくとも一つ以上の指定席路線が含まれる場合に、指定席路線が含まれる探索経路を操作者に通知する通知処理手段とを有する。
【０００８】
本発明の他のナビゲーションシステムにおいては、さらに、前記経路探索処理手段は、複数の探索経路を候補経路として出力する。
【０００９】
本発明の更に他のナビゲーションシステムにおいては、さらに、一つ以上の指定席路線が含まれる候補経路を所定の絞込条件で絞り込む絞込処理手段を有する。
【００１０】
本発明の更に他のナビゲーションシステムにおいては、さらに、絞り込まれた候補経路を所定の並替条件に基づいて並び替える。
【００１１】
本発明の更に他のナビゲーションシステムにおいては、端末装置から送信された探索条件に基づいて経路を探索する経路探索処理手段と、探索経路に少なくとも一つ以上の指定席路線が含まれるかどうかを判断する指定席路線判定処理手段と、前記探索経路に少なくとも一つ以上の指定席路線が含まれる場合に、指定席路線が含まれる探索経路を表す経路案内データを端末装置に送信する送信処理手段とを有する。
【００１２】
本発明の経路探索方法のプログラムにおいては、コンピュータを、経路探索区間を探索条件として設定する探索条件設定処理手段、設定された探索条件に基づいて経路を探索する経路探索処理手段、探索経路に少なくとも一つ以上の指定席路線が含まれるかどうかを判断する指定席路線判定処理手段、及び前記探索経路に少なくとも一つ以上の指定席路線が含まれる場合に、指定席路線が含まれる探索経路を操作者に通知する通知処理手段として機能させる。
【００１３】
【発明の実施の形態】
以下、本発明の実施の形態について図面を参照しながら詳細に説明する。
【００１４】
図１は本発明の実施の形態におけるナビゲーションシステムの機能ブロック図である。
【００１５】
図において、９１は経路探索区間を探索条件として設定する探索条件設定処理手段、９２は設定された探索条件に基づいて経路を探索する経路探索処理手段、９３は探索経路に少なくとも一つ以上の指定席路線が含まれるかどうかを判断する指定席路線判定処理手段、９４は前記探索経路に少なくとも一つ以上の指定席路線が含まれる場合に、指定席路線が含まれる探索経路を操作者に通知する通知処理手段である。
【００１６】
図２は本発明の実施の形態におけるナビゲーションシステムのブロック図である。
【００１７】
図において、１４は移動用端末としてのＰＤＡ、５１は情報提供者としての情報センタ、６１は利用者端末としてのパソコンであり、前記ＰＤＡ１４、パソコン６１等と情報センタ５１等とはネットワーク４３を介して接続され、ＰＤＡ１４、パソコン６１、情報センタ５１等によってナビゲーションシステムが構成される。なお、前記ＰＤＡ１４及びパソコン６１によって端末装置が構成され、前記ＰＤＡ１４は、ナビゲーション処理部１７、データ記録部１６、通信部３８等を備える。
【００１８】
また、前記パソコン６１は、演算装置及び制御装置としてのＣＰＵ７１、操作者に各種の情報を通知する通知装置としての表示部７２、操作部７３、記録装置７４、通信部７５等を備える。本実施の形態においては、前記演算装置及び制御装置としてＣＰＵ７１が使用されるようになっているが、ＣＰＵ７１に代えてＭＰＵ等を使用することもできる。また、通知装置として表示部７２の他に、操作者に音声で各種の情報を通知する音声出力部を備えることもできる。
【００１９】
前記表示部７２としては、ＣＲＴディスプレイ、液晶ディスプレイ、プラズマディスプレイ等のディスプレイを使用することができる。また、操作部７３としては、キーボード、マウス、バーコードリーダ、ライトペン、遠隔操作用のリモートコントロール装置、ジョイスティック等を使用することができる。さらに、操作部７３として、前記ディスプレイに形成されたタッチパネルを使用することもできる。該タッチパネルにおいては、ディスプレイに各種のキー、スイッチ、ボタン等の操作部領域が形成され、該操作部領域をタッチ、クリック、押下等によって操作すると、所定の入力を行うことができる。
【００２０】
また、前記記録装置７４には、ＲＡＭ、ＲＯＭ、フラッシュメモリ等の図示されない内部記憶装置が内蔵されるほかに、ハードディスク、メモリカード、磁気テープ、磁気ドラム、ＣＤ−ＲＯＭ、ＣＤ−Ｒ、ＭＤ、ＤＶＤ、光ディスク、ＭＯ、ＩＣカード、光カード等の外部記憶装置が選択的に配設される。そして、前記記録装置７４に、外部記憶装置に記録されたデータを読み出すための読出装置、及び外部記憶装置にデータを記録するための書込装置が配設される。なお、前記ハードディスクによって第１の記録媒体が、メモリカードによって第２の記録媒体が構成される。
【００２１】
本実施の形態においては、前記利用者端末としてパソコン６１が、移動用端末としてＰＤＡ１４が使用されるようになっているが、利用者端末及び移動用端末として、パソコン６１及びＰＤＡ１４に代えてナビゲーション装置等の車載装置、電子手帳、携帯電話、携帯端末、テレビ電話、ゲーム機等のような、前記ネットワーク４３に接続することができ、双方向の通信を行うことができる端末装置を使用することもできる。
【００２２】
そして、前記情報センタ５１は、サーバ５３、該サーバ５３に接続された記録装置５７等を備える。前記サーバ５３は、演算装置及び制御装置としてのＣＰＵ５４、ＲＡＭ５５、ＲＯＭ５６等を備える。本実施の形態においては、前記演算装置及び制御装置としてＣＰＵ５４を使用するようになっているが、ＣＰＵ５４に代えてＭＰＵ等を使用することもできる。前記記録装置５７は、地図を表示するための地図データが記録された地図データベース、各種の施設に関する施設データが記録された施設データベース、公共の交通機関に関する交通機関データが記録された交通機関データベース、経路を探索するための探索データが記録された探索データベース等のデータベースを備える。なお、地図データ、施設データ、交通機関データ、探索データ等によってナビデータが構成される。
【００２３】
前記地図データベースに、道路データベース、交差点データベース、ノードデータベース等のデータベースが形成され、道路データベースに、道路リンクの列から成る各道路の情報を表す道路データが、交差点データベースに各交差点の情報を表す交差点データが、ノードデータベースに、各道路に沿って設定されたノード点の情報を表すノードデータがそれぞれ記録される。
【００２４】
そして、前記道路データとして、道路自体に関して、幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道のほか、高速道路、都市高速道路、有料道路等の高速・有料道を表すデータがそれぞれ記録される。さらに、道路データとして、高速・有料道に関して、入口及び出口の取付道（ランプウェイ）、料金所等を表すデータが記録される。
【００２５】
また、前記ノードデータとして、道路の分岐点（交差点、Ｔ字路等も含む）、各道路に曲率半径等に応じて所定の距離ごとに設定されたノード点の座標（位置）、各ノード点間を連結するノード点間リンク、各ノード点の高さ（高度）等を表すデータが記録される。
【００２６】
そして、前記施設データとして、各地域のホテル、ガソリンスタンド、駐車場、観光施設等の施設を表すデータが記録される。
【００２７】
また、交通機関データベースは、鉄道の情報を表す鉄道データが記録された鉄道データベース、地下鉄の情報を表す地下鉄データが記録された地下鉄データベース、バスの情報を表すバスデータが記録されたバスデータベース、飛行機の情報を表す飛行機データが記録された飛行機データベース、船舶の情報を表す船舶データが記録された船舶データベース、異なる交通機関間の乗換えの情報を表す乗換データが記録された交通機関間乗換データベース等のデータベースから成る。
【００２８】
そして、前記鉄道データベースは、各路線の情報を表す路線データが記録された路線データベース、各駅の情報を表す駅データが記録された駅データベース、各列車の情報を表す列車データが記録された列車データベース、乗換えの情報を表す乗換データが記録された乗換データベース、各列車の指定席の情報を表す指定席データが記録された指定席データベース、時刻表の情報を表す時刻表データが記録された時刻表データベース、運賃の情報を表す運賃データが記録された運賃データベースから成る。
【００２９】
前記路線データベースに、路線データとして、各路線の番号、すなわち、路線番号、路線の名称、路線における在来線、長距離線、新幹線等の別を表す種類、路線における各駅間の距離、路線における各駅間の所要時間、路線の形状及び寸法を表す路線ノードデータ等の各データが記録される。前記路線ノードデータとして、路線の分岐点（駅等も含む）、各路線に曲率半径等に応じて所定の距離ごとに設定された路線ノード点の座標（位置）、各路線ノード点間を連結する路線リンク、各路線ノード点の高さ（高度）等を表すデータが記録される。なお、路線リンクを表すデータは、路線リンクの番号、路線リンク長、路線リンクを移動するのに必要な時間を表す旅行時間等から成る。
【００３０】
また、前記駅データベースには、各駅の番号、すなわち、駅番号、駅の名称等の各データが記録され、列車データベースには、各列車の番号、すなわち、列車番号、列車の名称、各列車における特急、急行、準急、普通等の別を表す種類、各列車の編成等の各データが記録される。
【００３１】
そして、乗換データベースには、異なる路線間の乗換えが可能な駅の番号、すなわち、路線間乗換駅番号、乗換えの二つの路線の組合せ、同じ路線で異なる列車間の乗換え（乗継ぎ）が可能な駅の番号、すなわち、列車間乗換駅番号、乗換えの二つの列車の組合せ、乗換えに要する時間、すなわち、乗換所要時間等の各データが記録され、指定席データベースには、指定席を備えた列車の運行がされる路線（以下「指定席路線」という。）の番号、すなわち、指定席路線番号、指定席を備えた列車（以下「指定席列車」という。）の番号、すなわち、指定席列車番号、指定席を備えた車両におけるグリーン車、普通車、寝台車等の別を表す種類、指定席の空席の有無を表す空席状況等の各データが記録される。
【００３２】
さらに、時刻表データベースには、各列車ごとの、各駅における出発時刻、各駅における到着時刻、各駅における停車時間、出発及び到着の番線を表す番線番号等の各データが記録され、運賃データベースには、各駅間の運賃、特急、急行、準急等の列車の種類ごとの料金、指定席の料金、グリーン車、寝台車等の車両の種類ごとの料金、乗換えに伴い付加又は減額される料金等の各データが記録される。
【００３３】
また、地下鉄データベースは、各路線の情報を表す地下鉄データが記録された路線データベース、各駅の情報を表す駅データが記録された駅データベース、各地下鉄車両の情報を表す地下鉄車両データが記録された地下鉄車両データベース、乗換えの情報を表す乗換データが記録された乗換データベース、時刻表の情報を表す時刻表データが記録された時刻表データベース、運賃の情報を表す運賃データが記録された運賃データベースから成る。
【００３４】
そして、前記路線データベースに、路線番号、路線の名称、路線における各駅間の距離、路線における各駅間の所要時間、路線の形状及び寸法を表す路線ノードデータ等の各データが記録される。
【００３５】
また、前記駅データベースには、駅番号、駅の名称等の各データが記録され、地下鉄車両データベースには、各地下鉄車両の番号、すなわち、地下鉄車両番号、地下鉄車両の名称、各地下鉄車両における快速、普通等の別を表す種類、各地下鉄車両の編成等の各データが記録され、乗換データベースには、路線間乗換駅番号、乗換えの二つの路線の組合せ、同じ路線で異なる地下鉄車両間の乗換え（乗継ぎ）が可能な駅の番号、すなわち、地下鉄車両間乗換駅番号、乗換えの二つの地下鉄車両の組合せ、乗換所要時間等の各データが記録される。
【００３６】
さらに、時刻表データベースには、各地下鉄車両ごとの、各駅における出発時刻、各駅における到着時刻、各駅における停車時間、出発及び到着の番線を表す番線番号等の各データが記録され、運賃データベースには、各駅間の運賃、乗換えに伴い付加又は減額される料金等の各データが記録される。
【００３７】
また、バスデータベースは、各路線の情報を表す路線データが記録された路線データベース、各停留所の情報を表す停留所データが記録された停留所データベース、各バスの情報を表すバスデータが記録されたバスデータベース、乗換えの情報を表す乗換データが記録された乗換データベース、時刻表の情報を表す時刻表データが記録された時刻表データベース、運賃の情報を表す運賃データが記録された運賃データベースから成る。
【００３８】
そして、前記路線データベースに、路線（系統）番号、路線の名称、路線における各停留所間の距離、路線における各停留所間の所要時間、路線の形状及び寸法を表す路線ノードデータ等の各データが記録される。路線ノードデータとしては、各路線の分岐点（交差点、Ｔ字路、停留所等も含む）、各路線に曲率半径等に応じて所定の距離ごとに設定された路線ノード点の座標（位置）、各路線ノード点間を連結する路線リンク、各路線ノード点の高さ（高度）等を表すデータが記録される。
【００３９】
また、前記停留所データベースには、各停留所の番号、すなわち、停留所番号、停留所の名称等の各データが記録され、バスデータベースには、各バスの番号、すなわち、バス番号、バスの名称等の各データが記録され、乗換データベースには、同じ路線間で異なるバス間の乗換え（乗継ぎ）が可能な停留所の番号、すなわち、バス間乗換停留所番号、異なる路線間の乗換えが可能な停留所の番号、すなわち、路線間乗換停留所番号、乗換えの二つの路線の組合せ、乗換所要時間等の各データが記録される。
【００４０】
そして、時刻表データベースには、各バスごとの、各停留所における出発時刻、各停留所における到着時刻等の各データが記録され、運賃データベースには、各停留所間の運賃、乗換えに伴い付加又は減額される料金等の各データが記録される。
【００４１】
また、飛行機データベースは、各路線（航路）の情報を表す路線データが記録された路線データベース、各空港の情報を表す空港データが記録された空港データベース、各便の情報を表す便データが記録された便データベース、乗換え（乗継ぎ）の情報を表す乗換データが記録された乗換データベース、時刻表の情報を表す時刻表データが記録された時刻表データベース、運賃の情報を表す運賃データが記録された運賃データベースから成る。
【００４２】
前記路線データベースに、路線番号、路線の名称、路線における国内線、国際線等の別を表す種類、路線における各空港間の距離、路線における各空港間の所要時間、路線の形状及び寸法を表す路線ノードデータ等の各データが記録される。路線ノードデータとしては、各空港間を結ぶ路線を描画するためのデータが記録される。
【００４３】
また、前記空港データベースには、各空港の番号、すなわち、空港番号、空港の名称等の各データが記録され、便データベースには、各便の番号（便の名称）を表す便名、飛行機の機種等の各データが記録され、乗換データベースには、異なる路線間の乗換えが可能な空港の番号、すなわち、路線間乗換空港番号、乗換えの二つの路線の組合せ、乗換所要時間等の各データが記録される。
【００４４】
そして、時刻表データベースには、各便ごとの、各空港における搭乗時刻、各空港における出発時刻、各空港における到着時刻、出発及び到着のゲートを表すゲート番号等の各データが記録され、運賃データベースには、各空港間におけるファーストクラス、ビジネスクラス、エコノミークラス等のシートごとの運賃、割引料金等の各データが記録される。
【００４５】
また、船舶データベースは、各路線（航路）の情報を表す路線データが記録された路線データベース、各港の情報を表す港データが記録された港データベース、各便の情報を表す便データが記録された便データベース、乗換え（乗継ぎ）の情報を表す乗換データが記録された乗換データベース、時刻表の情報を表す時刻表データが記録された時刻表データベース、運賃の情報を表す運賃データが記録された運賃データベースから成る。
【００４６】
前記路線データベースに、路線番号、路線の名称、路線における国内航路、国際航路等の別を表す種類、路線における各港間の距離、路線における各港間の所要時間、路線の形状及び寸法を表す路線ノードデータ等の各データが記録される。路線ノードデータとしては、各港間を結ぶ路線を描画するためのデータが記録される。
【００４７】
また、前記港データベースには、各港の番号、すなわち、港番号、港の名称等の各データが記録され、便データベースには、各便の番号（便の名称）を表す便名、船舶の機種等の各データが記録され、乗換データベースには、異なる路線間の乗換えが可能な港の番号、すなわち、路線間乗換港番号、乗換えの二つの路線の組合せ、乗換所要時間等の各データが記録される。
【００４８】
そして、時刻表データベースには、各便ごとの、各港における出発時刻、各港における到着時刻、出発及び到着のゲートを表すゲート番号等の各データが記録され、運賃データベースには、各港間における、スイート、特等、一等、二等、寝台等の船室の種類ごとの運賃等の各データが記録される。
【００４９】
また、交通機関間乗換データベースに、鉄道、地下鉄、バス、飛行機、船舶等の各交通機関における異なる交通機関間の乗換所要時間等の各データが記録される。
【００５０】
そして、前記探索データベースには、経路を探索するために、前記道路データ、交差点データ、施設データ、交通機関データ等が探索データとして記録され、該探索データは、最も上位のレイヤから最も下位のレイヤまでの複数の階層のレイヤに区分され、レイヤデータを構成する。この場合、上位のレイヤほど広域の探索データによってレイヤデータが構成され、下位のレイヤほど狭域の探索データによってレイヤデータが構成される。
【００５１】
なお、前記記録装置５７には、ナビゲーション装置１４において所定の情報を音声で出力するための音声出力データも記録される。
【００５２】
また、前記情報センタ５１は、情報提供者のうちの交通情報提供者としての交通情報送信センタ、例えば、図示されないＶＩＣＳ（登録商標：道路交通情報通信システム：Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタから送信された渋滞情報、規制情報、駐車場情報、交通事故情報、サービスエリアの混雑状況等の各情報から成る交通情報を受信することができるようになっている。さらに、情報センタ５１は、各交通機関の運営会社から送信された鉄道、地下鉄、バス、飛行機、船舶等についての運行状況、乗車率、指定席の空席状況等の各情報から成る交通情報を受信したり、各種の放送局から送信されたニュース、天気予報等の一般情報を受信したりすることができるようになっている。
【００５３】
そして、情報センタ５１は、前記交通情報及び一般情報を、そのままネットワーク４３を介してＰＤＡ１４、パソコン６１等に送ったり、加工するために記録装置５７に記録したりする。そのために、前記記録装置５７に統計データベースが配設され、統計データとして過去の交通情報及び一般情報が時系列に記録されるほかに、過去の交通情報及び一般情報に対して所定の加工が施され、交通情報及び一般情報の加工データがナビデータとして記録される。なお、交通情報及び一般情報を加工するのに当たり、前記一般情報等が必要に応じて参照される。
【００５４】
前記情報センタ５１は、個人、企業、団体、地方自治体、政府関係機関等のいずれであってもよい。そして、情報センタ５１は、前記ナビデータ等を自ら作成したり、他の情報提供者から購入したりしてＰＤＡ１４、パソコン６１等に供給する。
【００５５】
また、前記ネットワーク４３としては、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、無線ＬＡＮ、イントラネット、携帯電話回線網、電話回線網、公衆通信回線網、専用通信回線網、インターネット等の通信回線網等から成る各種の通信手段を使用することができる。そして、前記ネットワーク４３としては、放送用衛星によるＣＳ放送、ＢＳ放送、地上波ディジタルテレビ放送、ＦＭ多重放送等を利用する通信手段を使用することもできる。さらに、前記ネットワーク４３としては、高度道路交通システム（ＩＴＳ）において利用されるノンストップ自動料金支払いシステム（ＥＴＣ）、境域通信システム（ＤＳＲＣ）等の通信手段を使用することもできる。
【００５６】
前記ナビゲーション処理部１７、パソコン６１、サーバ５３等は、それぞれ単独に、又は二つ以上を組み合わせることによって、所定のプログラム、データ等に基づいてコンピュータとして機能する。
【００５７】
次に、前記ＰＤＡ１４について説明する。
【００５８】
図３は本発明の実施の形態におけるＰＤＡのブロック図である。
【００５９】
図において、１４はＰＤＡであり、該ＰＤＡ１４は、入力された情報に基づいて、ナビゲーション処理等の各種の演算処理を行うナビゲーション処理部１７、所定のナビデータ、経路が探索されたときの経路データ等が記録されるデータ記録部１６、操作部としての入力部３４、第１の通知部としての表示部３５、第２の通知部としての音声出力部３７、通信部３８、第１、第２のインタフェースとしての外部スロット４４、４５等を備える。なお、前記データ記録部１６は内部記憶装置として配設されたフラッシュメモリによって構成される。
【００６０】
そして、外付けの現在地検出部としてのＧＰＳカード４６を外部スロット４４にセットすることによって、ＧＰＳカード４６により現在地を検出することができ、外付けの通信部としての通信カード４７を外部スロット４４にセットすることによって、通信カード４７を介してネットワーク４３（図２）とＰＤＡ１４とを接続することができ、外付けの記録装置としてのメモリカード４８を外部スロット４５にセットすることによって、メモリカード４８に記録された各種のプログラム、データ等を読み出したり、メモリカード４８に所定のデータを記録したりすることができる。
【００６１】
前記ＧＰＳカード４６には、図示されないＧＰＳセンサが内蔵されていて、該ＧＰＳセンサは、人工衛星によって発生させられた電波を受信することにより、地球上における現在地、絶対時間等を検出する。
【００６２】
前記ナビゲーション処理部１７は、ＰＤＡ１４の全体の制御を行う演算装置及び制御装置としてのＣＰＵ３１、並びに該ＣＰＵ３１が各種の演算処理を行うに当たってワーキングメモリとして使用されるＲＡＭ３２、及び制御用のプログラムのほか、出発地から目的地までの経路の探索、経路案内等を行うための各種のプログラムが記録されたＲＯＭ３３を内部記憶装置として備え、前記ナビゲーション処理部１７に、前記入力部３４、表示部３５、図示されない音声入力部、音声出力部３７及び通信部３８が接続される。なお、前記ＲＡＭ３２、ＲＯＭ３３、データ記録部１６等として半導体メモリ、磁気コア等が使用される。そして、演算装置及び制御装置としてＣＰＵ３１に代えてＭＰＵ等を使用することもできる。
【００６３】
前記データ記録部１６には、フラッシュメモリが使用されるが、図示されないハードディスクを外部記憶装置として配設することもできる。その場合、ハードディスクに記録されたデータを読み出すための読出装置、及びハードディスクにデータを記録するための書込装置が配設される。なお、前記ハードディスクに代えて、フレキシブルディスク、ＣＤ−ＲＯＭ、ＣＤ−Ｒ、ＭＤ、ＤＶＤ、光ディスク、ＭＯ、ＩＣカード、光カード、メモリカード等を外部記憶装置として配設することができる。
【００６４】
本実施の形態においては、前記ＲＯＭ３３に各種のプログラムが記録され、前記データ記録部１６に各種のデータが記録されるようになっているが、プログラム、データ等を同じ外部記憶装置に記録することもできる。この場合、例えば、前記外部記憶装置から前記プログラム、データ等を読み出してデータ記録部１６に書き込むこともできる。したがって、外部記憶装置を交換することによって前記プログラム、データ等を更新することができる。
【００６５】
前記入力部３４は、現在地を修正したり、出発地及び目的地を入力したり、通信部３８を操作したりするためのものであり、各種のキー、スイッチ、ボタン等の図示されない操作スイッチ及びスタイラスペンから成る。また、前記入力部３４は、前記ディスプレイに形成された画面に画像で表示された各種のキー、スイッチ、ボタン等の操作スイッチによって構成され、該操作スイッチを前記ライントペンによってタッチすることによって入力を行うことができる。
【００６６】
なお、入力部３４として、キーボード、マウス、バーコードリーダ、遠隔操作用のリモートコントロール装置、ライトペン、ジョイスティック等を使用したり、音声によって必要な情報を入力するマイクロホン等を使用したりすることができる。
【００６７】
そして、前記ディスプレイに形成された各種の画面には、操作案内、操作メニュー、キーの案内、出発地から目的地までの探索経路、該探索経路に沿った案内情報、ＦＭ多重放送の番組等が表示される。前記表示部３５としては、液晶ディスプレイ、プラズマディスプレイ等のディスプレイを使用することができる。
【００６８】
さらに、音声出力部３７は、図示されない音声合成装置及びスピーカを備え、音声出力部３７から、前記探索経路、案内情報等が、例えば、音声合成装置によって合成された音声で出力される。なお、音声合成装置によって合成された音声のほかに、各種の音、あらかじめテープ、メモリ等に録音された各種の案内情報等を出力することもできる。
【００６９】
そして、前記通信部３８は、ＰＤＡ１４とパソコン６１（図２）とを無線ＬＡＮを介して接続したり、ＰＤＡ１４と情報センタ５１とをネットワーク４３を介して接続したりするための無線通信用の外部通信部４９、及びＰＤＡ１４とパソコン６１とを、シリアルコネクタ、ケーブル等を介して接続するための有線通信用の外部通信部５０を備える。なお、前記外部通信部４９によって、ＶＩＣＳ（登録商標）センタ、情報センタ５１等から送信された渋滞情報、規制情報、駐車場情報、交通事故情報、サービスエリアの混雑状況等の各情報から成る交通情報を受信したり、ニュース、天気予報等の一般情報を受信したりすることができる。
【００７０】
ところで、前記データ記録部１６の記憶容量が十分に大きい場合には、データ記録部１６に各種のデータベースを形成し、該データベースにナビデータを記録することができるが、データ記録部１６の記憶容量が小さい場合には、操作者が、入力部３４を操作して、必要なナビデータ、例えば、地図データ、交通機関データ、探索データ等をダウンロードして取得することができる。その場合、操作者が、地図データ、交通機関データ、探索データ等が必要となる所定の地域を選択して入力すると、ＣＰＵ３１の図示されないデータ要求処理手段は、データ要求処理を行い、所定の要求信号を情報センタ５１に送信する。
【００７１】
そして、情報センタ５１において要求信号が受信されると、ＣＰＵ５４の図示されない情報取得処理手段は、情報取得処理を行い、記録装置５７から地図データ、交通機関データ、探索データ等を読み出し、取得する。続いて、ＣＰＵ５４の図示されないデータ送信処理手段は、データ送信処理を行い、地図データ、交通機関データ、探索データ等をＰＤＡ１４に送信する。そして、前記地図データ、交通機関データ、探索データ等が送信されると、ＰＤＡ１４において、ＣＰＵ３１の図示されない記録処理手段は、記録処理を行い、前記地図データ、交通機関データ、探索データ等をデータ記録部１６にダウンロードし、記録する。  したがって、ＰＤＡ１４において、前記地図データ、交通機関データ等に基づいて表示部３５に所定の画面を形成し、該画面に地図、交通路線図等を表示したり、探索データに基づいて、出発地から目的地までの経路を探索し、前記地図に探索経路を表示したりすることができる。
【００７２】
また、パソコン６１の操作部７３を操作して、地図データ、交通機関データ、探索データ等を情報センタ５１から取得し、記録装置７４に記録し、続いて、データ記録部１６に記録することもできる。
【００７３】
その場合、操作者が、例えば、パソコン６１の操作部７３を操作して、地図データ、交通機関データ、探索データ等を取得しようとする所定の地域を選択して入力すると、ＣＰＵ７１の図示されないデータ要求処理手段は、データ要求処理を行い、所定の要求信号を情報センタ５１に送信する。
【００７４】
そして、情報センタ５１において要求信号が受信されると、前記ＣＰＵ５４の前記情報取得処理手段は、記録装置５７から選択された地域の地図データ、交通機関データ、探索データ等を読み出し、取得する。続いて、ＣＰＵ５４の前記データ送信処理手段は、データ送信処理を行い、地図データ、交通機関データ、探索データ等をパソコン６１に送信する。
【００７５】
そして、前記地図データ、交通機関データ、探索データ等が送信されると、パソコン６１において、ＣＰＵ７１の図示されない記録処理手段は、記録処理を行い、前記地図データ、交通機関データ、探索データ等を記録装置７４のハードディスクにダウンロードする。続いて、操作者が、前記記録装置７４に、メモリカード４８をセットし、所定の手順で操作部７３を操作すると、ＣＰＵ７１の前記記録処理手段は、ダウンロードされた地図データ、交通機関データ、探索データ等をメモリカード４８にコピーして記録する。
【００７６】
次に、操作者は、前記メモリカード４８をＰＤＡ１４の外部スロット４５にセットすると、ＣＰＵ３１の前記記録処理手段は、記録処理を行い、前記地図データ、交通機関データ、探索データ等をデータ記録部１６に更にコピーする。
【００７７】
したがって、ＰＤＡ１４において、前記地図データ、交通機関データ等に基づいて表示部３５に所定の地図画面、路線画面等を形成し、該地図画面、路線画面等にそれぞれ地図、交通路線図等を表示したり、探索データに基づいて、出発地から目的地までの経路を探索し、前記地図画面、路線画面等に探索経路を表示したりすることができる。
【００７８】
また、前記構成のＰＤＡ１４においては、図示されないＧＰＳ（グローバルポジショニングシステム）センサによって現在地を検出することができるので、操作者がＰＤＡ１４を携帯して移動する際に、前記探索経路に現在地を重ねて表示し、探索経路に従って経路案内を行うことができる。
【００７９】
ところで、経路を探索する際の探索条件として、探索モードを選択することができるようになっていて、探索モードには、探索の対象によって、道路を探索の対象として経路を探索する探索モード、鉄道、地下鉄、バス、飛行機、船舶等の各交通機関の路線を探索の対象として経路を探索する探索モード、各交通機関のうちの指定された交通機関の路線を探索の対象として経路を探索する探索モード、道路及び各交通機関の路線を探索の対象として経路を探索する探索モード、道路及び指定された交通機関の路線を探索の対象として経路を探索する探索モード等に分類される。また、探索の手法によって、出発地から目的地までを最短時間で結ぶ経路を探索する探索モード、出発地から目的地までを最低運賃で移動することができる経路を探索する探索モード、出発地から目的地までの乗換えの回数の少ない経路を探索する探索モード、出発地から目的地までの、指定席を利用することができる経路を探索する探索モード等に分類される。
【００８０】
次に、道路及び各交通機関の路線を探索の対象とし、かつ、出発地から目的地までの、指定席を利用することができる経路を探索する探索モードが選択された場合のナビゲーションシステムの動作について説明する。
【００８１】
図４は本発明の実施の形態におけるナビゲーションシステムの動作を示すメインフローチャート、図５は本発明の実施の形態における絞込処理のサブルーチンを示す図、図６は本発明の実施の形態における探索経路の例を示す図である。
【００８２】
ＰＤＡ１４（図３）において、操作者が、例えば、入力部３４を操作して出発地から目的地までの経路探索区間を入力し、探索モードを入力すると、ＣＰＵ３１の図示されない探索条件設定処理手段は、探索条件設定処理を行い、経路探索区間及び探索モードを探索条件として設定し、該探索条件を情報センタ５１（図２）に送信する。また、現在地を出発地として設定し、現在地から目的地までの経路探索区間を入力することもできる。
【００８３】
そして、情報センタ５１において探索条件が受信されると、ＣＰＵ５４の前記情報取得処理手段は、記録装置５７の探索データベースを参照して探索データを読み出し、経路を探索するために必要な情報を取得する。
【００８４】
続いて、前記ＣＰＵ５４の経路探索処理手段９２（図１）は、経路探索処理を行い、前記探索条件に従って、前記探索データに基づいて経路を探索する。その結果、前記探索条件を満たす複数の探索経路が候補経路として探索され、候補経路が出力される。この場合、道路及び各交通機関の路線を対象とする探索モードが選択されているので、各候補経路は、出発地から目的地までの道路、鉄道の路線、地下鉄の路線、バスの路線、飛行機の路線、船舶の路線等のうちの一つ、又は二つ以上の組合せから成る。
【００８５】
次に、前記ＣＰＵ５４の指定席路線判定処理手段９３は、指定席路線判定処理を行い、候補経路に、少なくとも一つ以上の指定席路線が含まれるかどうかを判断し、少なくとも一つ以上の指定席路線が含まれる場合、ＣＰＵ５４の図示されない絞込処理手段は、絞込処理を行い、一つ以上の指定席路線が含まれる候補経路を所定の絞込条件で絞り込む。
【００８６】
なお、前記指定席路線判定処理において、各路線が指定席路線であるかどうかを判断するために、路線データを構成する各路線リンクに、指定席路線であるかどうかを表す識別データが付与され、前記指定席路線判定処理手段９３は、候補経路を構成する各路線の路線データを読み出し、各路線リンクに付与された識別データに基づいて、各路線が指定席路線であるかどうかを判断する。
【００８７】
次に、前記絞込処理について説明する。
【００８８】
まず、前記絞込処理手段は、第１の絞込手法に従って路線による絞込みを行う。そのために、前記絞込処理手段は、前記路線リンクに基づいて、指定席路線において指定席を利用することができる区間、すなわち、指定席利用区間を算出し、該指定席利用区間における各路線リンクの路線リンク長に基づいて、指定席利用区間の距離を表す指定席利用区間長Ｌｒを算出する。
【００８９】
続いて、前記絞込処理手段は、各候補経路のうちの指定席利用区間長Ｌｒが閾（しきい）値Ｌｒｔｈより長い候補経路、又は各候補経路のうちの指定席利用区間長Ｌｒの長いものから数えて所定の数の候補経路を選択する。
【００９０】
本実施の形態においては、指定席利用区間長Ｌｒに基づいて候補経路を絞り込むようになっているが、指定席利用区間における各路線リンクの旅行時間に基づいて、指定席利用区間の旅行時間を表す指定席利用時間Ｔｒを算出することもできる。その場合、前記絞込処理手段は、各候補経路のうちの指定席利用時間Ｔｒが閾値Ｔｒｔｈより長い候補経路、又は各候補経路のうちの指定席利用時間Ｔｒの長いものから数えて所定の数の候補経路を選択する。
【００９１】
次に、前記絞込処理手段は、第２の絞込手法に従って列車による絞込みを行う。そのために、前記絞込処理手段は、指定席列車番号に基づいて、指定席路線において指定席を利用することができる列車、すなわち、指定席利用可能列車を算出し、各候補経路のうちの指定席利用可能列車の多い候補経路を選択する。なお、指定席列車に代えて、指定席を利用することができる地下鉄車両、バス、飛行機、船舶等による絞込みを行うこともできる。
【００９２】
続いて、前記絞込処理手段は、第３の絞込手法に従って空席状況による絞込みを行う。そのために、前記絞込処理手段は、空席状況に基づいて、各候補経路のうちの各指定席路線及び各指定席列車に空席があるかどうかを判断し、各候補経路のうちの空席がある指定席列車が運行されている候補経路を選択する。なお、指定席列車に代えて、地下鉄車両、バス、飛行機、船舶等に空席があるかどうかを判断することもできる。
【００９３】
このようにして、絞込処理が終了すると、前記ＣＰＵ５４の図示されない並替処理手段は、並替処理を行い、前記絞込処理において選択された候補経路を、所定の並替条件に基づいて並び替える。この場合、並替処理手段は、指定席利用区間長Ｌｒ、指定席利用時間Ｔｒ、指定席利用可能列車等を読み込み、指定席利用区間長Ｌｒの長い順、指定席利用時間Ｔｒの長い順、指定席利用可能列車の多い順等で候補経路を並び替えることができる。
【００９４】
また、各候補経路の各路線リンク長に基づいて各候補経路の全体の距離、すなわち、候補経路長σＬを算出し、該候補経路長σＬに対する前記指定席利用区間長Ｌｒの比を表す指定席率γ１
γ１＝Ｌｒ／σＬ
を算出し、前記指定席率γ１が大きい順に候補経路を並び替えることができる。
【００９５】
さらに、各候補経路の各路線リンクの旅行時間に基づいて各候補経路の全体の旅行時間、すなわち、候補経路旅行時間σＴを算出し、該候補経路旅行時間σＴに対する前記指定席利用時間Ｔｒの比を表す指定席率γ２
γ２＝Ｔｒ／σＴ
を算出し、前記指定席率γ２が大きい順に候補経路を並び替えることができる。
【００９６】
また、各候補経路における各路線の各列車について、乗車してから下車するまでの指定席を利用することができる時間、すなわち、指定席利用時間を算出し、指定席利用時間の長い順に候補経路を並び替えることができる。
【００９７】
なお、前記指定席率γ１、γ２が同じ候補経路が複数存在する場合は、各候補経路における各指定席路線のうちの最も距離が長い指定席路線を最大指定席路線として特定し、各候補経路ごとの最大指定席路線同士を比較して、距離が長い順に候補経路を並び替えることができる。また、各候補経路における各指定席路線のうちの最も旅行時間が長い指定席路線を最大指定席路線として特定することもできる。
【００９８】
このようにして、候補経路が並び替えられると、ＣＰＵ５４の図示されない経路案内データ送信処理手段は、経路案内データ送信処理を行い、各候補経路を表す経路データ、音声出力部３７によって候補経路を案内するための音声出力データ等を経路案内データとしてＰＤＡ１４に送信する。
【００９９】
続いて、ＰＤＡ１４において、経路案内データを受信すると、ＣＰＵ３１の図示されない表示処理手段は、表示処理を行い、表示部３５に候補リスト表示画面を形成し、該候補リスト表示画面に、前記経路データに従って並び替えられた候補リストを表示する。また、ＣＰＵ３１の図示されない音声出力処理手段は、音声出力処理を行い、前記音声出力データに従って音声出力部３７から候補リストを音声で出力する。なお、前記表示処理手段及び音声出力処理手段によって通知処理手段９４が構成され、通知処理手段９４は、通知処理を行い、操作者に候補リストを通知する。
【０１００】
このように、候補経路に指定席路線がある場合、候補リスト表示画面に候補リストが表示されたり、音声出力部３７から候補リストが音声で出力されたりするが、候補経路を構成する各路線に、少なくとも一つ以上の指定席路線が含まれない場合、前記表示処理手段は、表示部３５に候補リスト表示画面を形成し、該候補リスト表示画面にすべての候補リストを表示する。また、前記音声出力処理手段は、音声出力部３７からすべての候補リストを音声で出力する。
【０１０１】
なお、前記経路データには、各候補経路を構成する交通機関データ、各候補経路の周辺の地図データ等が含まれる。また、前記音声出力データについては、情報センタ５１からＰＤＡ１４に送信することができるが、ＰＤＡ１４のデータ記録部１６にあらかじめ音声出力データを記録しておくこともでき、その場合、経路案内データとして送信する必要はない。
【０１０２】
続いて、操作者が、入力部３４を操作して表示されたリストの各候補経路、又は音声で出力された各候補経路のうちの所望の候補経路を選択すると、前記表示処理手段は、表示部３５に選択経路表示画面を形成し、該選択経路表示画面に選択された候補経路を選択経路として表示する。したがって、操作者は、表示された選択経路に従って出発地から目的地まで移動することができる。
【０１０３】
なお、図６に示されるように、出発地の駅Ｐｓから目的地の駅Ｐｇまで移動する際に、駅Ｐｓから駅Ｐｅ１までの指定席利用区間Ｒｔ１において指定席を利用し、駅Ｐｅ１から駅ｐｅ２までの区間Ｒｔ２において指定席を利用せず、駅Ｐｅ２において列車を乗り換え、駅Ｐｅ２から駅Ｐｇまでの指定席利用区間Ｒｔ３において指定席を利用することができる。
【０１０４】
このように、本実施の形態においては、探索経路上において公共の交通機関を利用するに当たり、座席を確保することが可能になるので、出発地から目的地まで快適に移動することができる。
【０１０５】
また、指定席利用区間長Ｌｒの長い候補経路、指定席利用時間Ｔｒの長い候補経路、指定席利用可能列車の多い候補経路、指定席率γ１、γ２が大きい候補経路を任意に選択することができるので、出発地から目的地まで一層快適に移動することができる。
【０１０６】
次に、図４のフローチャートについて説明する。
ステップＳ１  経路探索区間を設定する。
ステップＳ２  経路探索処理を行う。
ステップＳ３  指定席路線が含まれるかどうかを判断する。指定席路線が含まれる場合はステップＳ４に、含まれない場合はステップＳ６に進む。
ステップＳ４  絞込処理を行う。
ステップＳ５  経路を並び替える。
ステップＳ６  探索経路を表示し、処理を終了する。
【０１０７】
次に、図５のフローチャートについて説明する。
ステップＳ４−１  路線による絞込みを行う。
ステップＳ４−２  列車による絞込みを行う。
ステップＳ４−３  空席状況による絞込みを行い、リターンする。
【０１０８】
本実施の形態においては、サーバ５３において、経路探索処理、絞込処理等が行われるようになっているが、ＰＤＡ１４において経路探索処理、絞込処理等を行うこともできる。その場合、ＣＰＵ３１の探索条件設定処理手段９１によって探索条件が設定されると、ＣＰＵ３１の情報取得処理手段は、情報取得処理を行い、データ記録部１６の探索データベースを参照して探索データを読み出し、経路を探索するために必要な情報を取得する。
【０１０９】
続いて、前記ＣＰＵ３１の経路探索処理手段９２は、経路探索処理を行い、前記探索条件に従って、前記探索データに基づいて経路を探索し、候補経路を出力する。次に、前記ＣＰＵ３１の指定席路線判定処理手段９３は、指定席路線判定処理を行い、候補経路を構成する各路線に、少なくとも一つ以上の指定席路線が含まれるかどうかを判断し、少なくとも一つ以上の指定席路線が含まれる場合、ＣＰＵ３１の絞込処理手段は、絞込処理を行い、路線データ及び指定席データを読み出し、路線データ及び指定席データに基づいて、各絞込手法に従って前記候補経路を絞り込む。
【０１１０】
このようにして、絞込処理が終了すると、前記ＣＰＵ３１の並替処理手段は、並替処理を行い、前記絞込処理において選択された候補経路を、所定の並替条件に基づいて並び替える。続いて、ＣＰＵ３１の前記表示処理手段は、表示部３５に候補リスト表示画面を形成し、該候補リスト表示画面に、前記経路データに従って、並び替えられた候補リストを表示する。また、ＣＰＵ３１の前記音声出力処理手段は、前記音声出力データに従って、音声出力部３７から候補リストを音声で出力する。
【０１１１】
さらに、パソコン６１において経路探索処理、絞込処理等を行うこともできる。
【０１１２】
なお、本発明は前記実施の形態に限定されるものではなく、本発明の趣旨に基づいて種々変形させることが可能であり、それらを本発明の範囲から排除するものではない。
【０１１３】
【発明の効果】
以上詳細に説明したように、本発明によれば、探索経路に少なくとも一つ以上の指定席路線が含まれる場合に、指定席路線が含まれる探索経路が操作者に通知されるので、探索経路上において公共の交通機関を利用するに当たり、座席を確保することが可能になるので、出発地から目的地まで快適に移動することができる。
【図面の簡単な説明】
【図１】本発明の実施の形態におけるナビゲーションシステムの機能ブロック図である。
【図２】本発明の実施の形態におけるナビゲーションシステムのブロック図である。
【図３】本発明の実施の形態におけるＰＤＡのブロック図である。
【図４】本発明の実施の形態におけるナビゲーションシステムの動作を示すメインフローチャートである。
【図５】本発明の実施の形態における絞込処理のサブルーチンを示す図である。
【図６】本発明の実施の形態における探索経路の例を示す図である。
【符号の説明】
１４    ＰＤＡ
１７    ナビゲーション処理部
５１    情報センタ
５３    サーバ
５４    ＣＰＵ
６１    パソコン
９１    探索条件設定処理手段
９２    経路探索処理手段
９３    指定席路線判定処理手段
９４    通知処理手段
【図１】
2004206482.tif 000003
【図２】
2004206482.tif 000004
【図３】
2004206482.tif 000005
【図４】
2004206482.tif 000006
【図５】
2004206482.tif 000007
【図６】
2004206482.tif 000008
【手続補正書】
【提出日】平成15年1月21日(2003.1.21)
【手続補正１】
【補正対象書類名】明細書
【補正対象項目名】００６５
【補正方法】変更
【補正の内容】
【００６５】
前記入力部３４は、現在地を修正したり、出発地及び目的地を入力したり、通信部３８を操作したりするためのものであり、各種のキー、スイッチ、ボタン等の図示されない操作スイッチ及びスタイラスペンから成る。また、前記入力部３４は、前記ディスプレイに形成された画面に画像で表示された各種のキー、スイッチ、ボタン等の操作スイッチによって構成され、該操作スイッチを前記ライトペンによってタッチすることによって入力を行うことができる。